(57)【要約】【課題】回路部のスパークの発生や引火を防止し、機構部の動作不良を防止することができるフューエル液面レベルセンサを提供する。【解決手段】燃料タンクＱの内部にフロート１０を設置する。フロート１０の揺動軸２１側にマグネット２２を設ける。揺動軸２１とマグネット２２とで機構部２０を構成する。機構部２０を保護カバー２３にて保護する。機構部２０を燃料タンクＱの内側に設置する。ホール素子３１を備えた回路部３０を設ける。ホール素子３１は、フロート１０に連動するマグネット２２の角度を検出する。回路部３０を基板ケース３２内に収納する。回路部３０を燃料タンクＱの外側に設置する。【選択図】図１
0003197804.tif 000002
【実用新案登録請求の範囲】
【請求項１】
燃料タンクの内部に設置されるフロートの上下動に伴って液面を検知するフューエル液面レベルセンサにおいて、
フロートの揺動杆を軸支する揺動軸と、揺動軸側の揺動杆端部に設けられたマグネットとで機構部が設けられ、
燃料タンクの外側に設置される基板と該基板に装着されるホール素子とで回路部が設けられ、
機構部を燃料タンク内側に設置すると共に、燃料タンクの外側に設置された回路部のホール素子にてフロートに連動するマグネットの角度を検出するように構成したことを特徴とするフューエル液面レベルセンサ。
【請求項２】
前記機構部は、保護カバーに収納された状態で前記燃料タンクの内部に設置され、前記回路部は、基板ケース内に収納された状態で前記燃料タンクの外部に設置された請求項１記載のフューエル液面レベルセンサ。
【請求項３】
前記保護カバー及び前記基板ケースは耐油性及び摺動性に優れた樹脂にて形成された請求項２記載のフューエル液面レベルセンサ。
【考案の詳細な説明】
【技術分野】
【０００１】
本考案は、輸送機器、発電機などの燃料タンク内のガソリンや軽油等の液位を検出するフューエル液面レベルセンサに関する。
【背景技術】
【０００２】
従来の自動車用フューエル液面レベルセンサとして、液面レベルを電位差に変換して液面高さを検出するようにした液面レベルセンサが知られている。例えば、特許文献１に記載の液面レベルセンサには、先端にフロート６が配設されたフロートアーム３と、このフロートアーム３の基端側に保持されたアームホルダ４と、このアームホルダ４に配置されたコンタクト片５とを備えるものである。
【０００３】
この液面レベルセンサでは、液面レベルの変動によりフロート６が上下動すると、フロートアーム３は回転軸部３ａを支点として、所定角度範囲内で回動する。この回動により、上記コンタクト片５が抵抗体７上を摺動し、検出回路で抵抗体７の一端と、コンタクト片５の接点５ａとの間の抵抗値が変化するとこれを検出して、液面変動量を示すレベル信号を出力端子８から取り出すものである。
【０００４】
また、特許文献２に記載の液面検出装置は、バネ弾性により電気的に接触するように構成した装置である。すなわち、液面の変動に連動するフロート２０と、抵抗パターン４２、４３及び導体パターン４４を備えた抵抗板４０と、フロートの変動に連動して摺動するヨーク３０の裏面に固定された金属製プレート３２の接点３３と、抵抗パターン４２の一端４２ａと外部回路とを接続するターミナル５０とを備えた装置である。
【０００５】
そして、液面の低下につれてフロート２０が下方に移動すると、ヨーク３０も下方に移動し、ヨーク３０の裏面に固定されたプレート３２の接点３３は導体パターン４４上を下方に摺動し、各抵抗パターン４２、４３のそれぞれの抵抗値が逐次加算され、抵抗値が増大するように構成したものである。
【先行技術文献】
【特許文献】
【０００６】
【特許文献１】特開２００３-４５０６号公報
【特許文献２】特開平９-５１４５号公報
【考案の概要】
【考案が解決しようとする課題】
【０００７】
ところが、従来の液面レベルセンサの中でも電子回路部が燃料タンクの内部に設置される機構では、何らかの外的要因や故障によって、電子回路部にスパークが発生したり、このスパークが燃料に引火したりする可能性があった。
【０００８】
また、建設機械などに使用する燃料タンク内には、土木現場の砂鉄や砂利等が混入する虞もあり、タンク内で電子回路が露出している状況では、接触子の接触部分に砂利等が挟まることで接触不良が発生するなどといった問題も生じていた。
【０００９】
そこで本考案は、上述の課題を解消すべく案出されたもので、何らかの外的要因によるスパークの発生やこのスパークが燃料に引火するのを防止すると共に、タンク内に砂鉄や砂利等が混入しても動作不良や各パーツの故障を防止することができるフューエル液面レベルセンサの提供を目的とするものである。
【課題を解決するための手段】
【００１０】
上述の目的を達成すべく本考案における第１の手段は、燃料タンクＱの内部に設置されるフロート１０の上下動に伴って液面を検知するフューエル液面レベルセンサにおいて、フロート１０の揺動杆１１を軸支する揺動軸２１と、揺動軸２１側の揺動杆１１端部に設けられたマグネット２２とで機構部２０が設けられ、燃料タンクＱの外側に設置される基板３３と該基板３３に装着されるホール素子３１とで回路部３０が設けられ、機構部２０を燃料タンクＱ内側に設置すると共に、燃料タンクＱの外側に設置された回路部３０のホール素子３１にてフロート１０に連動するマグネット２２の角度を検出するように構成したことにある。
【００１１】
第２の手段において、前記機構部２０は、保護カバー２３に収納された状態で前記燃料タンクＱの内部に設置され、前記回路部３０は、基板ケース３２内に収納された状態で前記燃料タンクＱの外部に設置されたものである。
【００１２】
第３の手段において、前記保護カバー２３及び前記基板ケース３２は耐油性及び摺動性に優れた樹脂にて形成されている。
【考案の効果】
【００１３】
本考案の請求項１に記載のごとく、燃料タンクＱの内側に機構部２０を設置し、燃料タンクＱの外側に回路部３０を設置することで、従来のような何らかの外的要因によるスパークの発生やこのスパークが燃料に引火するのを防止することができる。したがって、極めて安全な使用が可能になる。
【００１４】
請求項２のように、機構部２０を、保護カバー２３に収納した状態で燃料タンクＱの内部に設置することで、燃料タンクＱ内に混入した砂鉄や砂利等が機構部２０の動作不良やパーツの故障を防止することができる。
【００１５】
また、回路部３０を基板ケース３２内に収納した状態で燃料タンクＱの外部に設置することで、回路部３０を確実に保護することができ、燃料タンクＱ内の燃料や、土木現場の砂鉄や砂利等の混入を防止するものである。
【００１６】
しかも、これら機構部２０と回路部３０は、燃料タンクＱの内外に分離して設置されていて、互いに物理的な影響を受けずに機能するが、マグネット２２とホール素子３１により安定した液面検知が可能になる。
【００１７】
請求項３のごとく、保護カバー２３及び基板ケース３２は耐油性及び摺動性に優れた樹脂にて形成されている。
【００１８】
このように本考案によると、外的要因によるスパークの発生やこのスパークが燃料に引火するのを防止すると共に、タンク内に砂鉄や砂利等が混入しても動作不良や各パーツの故障を防止することができるなどといった当初の目的を達成した。
【図面の簡単な説明】
【００１９】
【図１】本考案の一実施例を示す概略側面図である。
【考案を実施するための形態】
【００２０】
本考案は、輸送機器、発電機などの燃料タンクＱの内部に設置されるフロート１０の上下動に伴ってガソリンや軽油等の液位を検出する液面レベルセンサである。
【００２１】
本考案の基本構成は、燃料タンクＱ内側に設置される機構部２０と、燃料タンクＱの外側に設置される回路部３０とを備えたものである。
【００２２】
機構部２０は、フロート１０の揺動杆１１を軸支する揺動軸２１と、揺動軸２１側の揺動杆１１端部に設けられたマグネット２２とを備えている。図示例では、これら、揺動軸２１及びマグネット２２は、保護カバー２３に収納された状態で燃料タンクの内側に設置されている。このとき、保護カバー２３を耐油性及び摺動性に優れた樹脂（ＰＯＭ等）にて設けている。
【００２３】
図示のフロート１０は、揺動軸２１に揺動杆１１を上下揺動自在に軸支すると共に、この揺動杆１１の先端に浮子１２を設けた構成である。このとき、浮子１２の材質にＮＢＲを使用することで、耐油性に優れた浮子１２を設けることができる。
【００２４】
一方、燃料タンクＱの外側に設置する回路部３０は、ホール素子３１を備えたもので、このホール素子３１は、フロート１０に連動するマグネット２２の角度を検出する。すなわち、マグネット２２の角度を電圧変換し、燃料タンクＱ内の液位を検出する磁電変換方式を採用している。
【００２５】
図示の回路部３０は、燃料タンクＱの外側に設置する基板３３を設け、この基板３３にホール素子３１を装着したものである。そして、基板ケース３２内に回路部３０を収納した状態で燃料タンクＱの外側に設置されている。このとき、基板ケース３２を耐油性及び摺動性に優れた樹脂（ＰＯＭ等）にて設けている。
【００２６】
そして、フロート１０が燃料タンクＱ内の液位に伴って揺動すると、揺動杆１１の揺動軸２１側に設けられたマグネット２２の角度が変化する。そこで燃料タンクＱの外側に設けた回路部３０のホール素子３１から出力される信号に変化が生じ、この変化から液位を検出する。
【００２７】
尚、本考案において、図示の構成に限定されるものではなく、本考案の要旨を変更しない範囲での設計変更は自由に行える。また、本考案の使用例も限定されるものではない。
【符号の説明】
【００２８】
Ｑ  燃料タンク
１０  フロート
１１  揺動杆
１２  浮子
２０  機構部
２１  揺動軸
２２  マグネット
２３  保護カバー
３０  回路部
３１  ホール素子
３２  基板ケース
３３  基板
【図１】
0003197804.tif 000003